Podtech/llm-jp-corpus-v4-ja_patent huggingface dataset:
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
取水から需要家までの送配水系と、
前記送配水系を制御する計画装置と、
前記計画装置に接続された記憶装置群と、
前記計画装置との間で信号を送受信する入出力装置とから成る水運用および配水制御システムであって、
前記計画装置は、
配水所から需要家までの配水系において、ポンプの吐出圧、及び、配水所からの配水量の計画である配水計画を立案する配水制御部と、
取水源から配水所までの送水系における管路内の流量の計画である水運用計画を立案する水運用計画立案部と、
前記水運用計画立案部及び前記配水制御部の立案結果を修正する連携部と、
を備えており、
前記計画装置は、前記配水制御部、前記水運用計画立案部、及び、前記連携部の処理を反復して実行することで、目的関数が最小のポンプの運転スケジュールを定めるための送配水計画を立案する処理を実行することを特徴とする水運用および配水制御システム。
【請求項２】
前記請求項１に記載した水運用および配水制御システムにおいて、
前記記憶装置群は、送水及び配水に係る送配水設備のデータを記憶した送配水系データ記憶装置と、
需要家の位置及び需要量から成る需要量データを記憶した需要家データ記憶装置と、
前記水運用計画立案部及び前記配水制御部の実行にあたり利用する計算条件データおよび制約データを記憶した計算条件データ記憶装置と、
を備えていることを特徴とする水運用および配水制御システム。
【請求項３】
前記請求項２に記載した水運用および配水制御システムにおいて、
前記送配水設備は、浄水場、配水所、浄水場及び／又は配水所に設置された送水ポンプ及び／又は配水ポンプ、送水管分岐点、送水管、配水管分岐点、及び／又は、配水管を含んでおり、
前記送配水系データ記憶装置が、前記浄水場、前記配水所、浄水場及び／又は配水所に設置された前記送水ポンプ、前記送水管分岐点、及び／又は、前記送水管のデータから成る送水系データと、そして、前記配水所、配水所に設置された前記配水ポンプと、前記配水管分岐点と、前記配水管と、配水管に接続された前記需要家とから成る配水系データとを記憶しており、
前記計算条件データ記憶装置が、前記送水系データから水運用計画立案のための最適化問題を定式化するための制約および目的関数の記述方法と、前記配水系データから配水計画立案およびと出圧決定のための最適化問題を定式化するための制約および目的関数の記述方法と、前記送配水設備の消費電力量を計算するためのモデルと、前記送配水設備を動作させるための制約とを記憶しており、そして、
前記需要家データ記憶装置が、一日の需要量パターンを記憶していることを特徴とする水運用および配水制御システム。
【請求項４】
前記請求項３に記載した水運用および配水制御システムにおいて、
前記水運用計画とは、前記配水所が、予め定められた配水量の配水を実現するために必要な配水池の水位を満足するように、前記取水源から前記配水所までの前記送水系における管路の流量を定めた計画であり、
前記配水計画とは、前記配水系において前記計算条件データ記憶装置に記憶された制約データを満足するように前記配水所からの配水量を定めた計画であって、
前記送配水計画とは、前記送配水系全体での管路の流量を定めた計画であって、
前記計画装置が、
（１）前記配水制御部が、前記配水系データ及び前記制約データを入力として数理計画問題を定式化して、前記問題を解くことで前記吐出圧及び前記配水計画を決定する配水制御処理と、
（２）前記水運用計画立案部が、前記配水計画により定められた配水所からの配水量および送水系データを入力として数理計画問題を定式化して、前記問題を解くことで前記水運用計画を立案する水運用計画立案処理と、
（３）前記連携部が、前記送配水計画を、送配水計画を修正する範囲を探索により特定する探索処理と、前記特定された配水所の配水量及び前記配水所へ送水している浄水場との間で管路の流量を、前記制約データに違反しないよう、かつ、前記送水系及び前記配水系の全体で前記所定の目的が改善されるよう修正する管路流量最適化処理とから成る連携処理とを実行し、
もって、前記計算条件データに記載された回数又は消費電力量の削減が不可能となるまで順番に反復することで、前記配水計画および前記水運用計画が、目的関数を最小化するようポンプの運転スケジュールを定めるように修正することを特徴とする水運用および配水制御システム。
【請求項５】
前記請求項４に記載した水運用および配水制御システムにおいて、
前記連携処理における探索処理が、配水の電力コストの比が配水所間で最も高い配水管網を探索の始点とすることを特徴とする水運用および配水制御システム。
【請求項６】
前記請求項４に記載した水運用および配水制御システムにおいて、
前記連携処理における探索処理が、探索の始点から送配水系を任意の距離だけ探索する間に発見した送配水設備を、送配水計画の修正範囲とすることを特徴とする水運用および配水制御システム。
【請求項７】
前記請求項４に記載した水運用および配水制御システムにおいて、
前記目的関数が、消費電力量または電力料金であることを特徴とする水運用および配水制御システム。
【請求項８】
前記請求項４に記載した水運用および配水制御システムにおいて、さらに、
前記システムを稼動した際の実績値を記憶する実績値記憶装置を備えることを特徴とする水運用および配水制御システム。
【請求項９】
前記請求項４に記載した水運用および配水制御システムにおいて、
前記配水制御部が、前記配水制御処理において、前記配水系データおよび前記制約データを入力として数理計画問題を定式化して、前記問題を解き二つ以上の配水計画の候補を出力する配水制御処理を行うことを特徴とする水運用および配水制御システム。
【請求項１０】
前記請求項２に記載した水運用および配水制御システムにおいて、更に、表示装置を備えており、当該表示装置は、前記計画装置から、
前記送配水設備のデータと、
前記需要量データと、
前記計画装置が計算した消費電力量のデータと、
を受信し、受信した前記データを前記表示装置に表示するための処理を実行することを特徴とする水運用および配水制御システム。
【請求項１１】
前記請求項４に記載した水運用および配水制御システムにおいて、
前記計画装置は、
ユーザが入力装置を介して送信した起動命令を受信して処理を開始する機能と、
前記計画装置の前記配水制御処理と、前記水運用計画立案処理と、前記連携処理の実行前にユーザの入力を受けて前記記憶装置群が記憶するデータを修正する機能と、
を備えていることを特徴とする水運用および配水制御システム。
【手続補正書】
【提出日】平成28年4月26日(2016.4.26)
【手続補正１】
【補正対象書類名】明細書
【補正対象項目名】００１５
【補正方法】変更
【補正の内容】
【００１５】
請求項９に記載の発明は、前記第１の情報処理装置が、印刷準備が整えられたデータが印刷機に供給された後も、当該データを保持する保持手段を更に備えた、請求項４から請求項８までのいずれか１項に記載の印刷システムである。
【手続補正２】
【補正対象書類名】特許請求の範囲
【補正対象項目名】全文
【補正方法】変更
【補正の内容】
【特許請求の範囲】
【請求項１】
ネットワーク上に配置され且つ少なくとも１つの印刷機と通信回線を介して接続されて印刷サービスを提供する印刷サービス提供装置であって、
ビットマップ形式に変換された変換データを予め記憶すると共に、当該変換データを印刷指示に応じて前記通信回線を介して前記印刷機に供給する印刷サービス提供装置。
【請求項２】
ネットワーク上に配置され且つ少なくとも１つの印刷機と通信回線を介して接続されて印刷サービスを提供する印刷サービス提供装置であって、
ビットマップ形式に変換された変換データを予め記憶する記憶手段と、
印刷指示に応じて前記記憶手段に記憶された前記変換データを取得し、当該変換データを通信回線を介して接続された印刷機に供給する供給手段と、
を備えた印刷サービス提供装置。
【請求項３】
前記ビットマップ形式に変換された変換データが、出力する印刷機の性能に応じた圧縮方法で圧縮されて記憶される、請求項１又は請求項２に記載の印刷サービス提供装置。
【請求項４】
少なくとも１つの印刷機と、
前記印刷機と通信回線を介して接続された第１の情報処理装置と、
ビットマップ形式に変換された変換データを予め記憶する記憶手段を備え、ネットワーク上に配置され且つ前記第１の情報処理装置及び前記印刷機の各々と通信回線を介して接続されて印刷サービスを提供する印刷サービス提供装置と、
を備え、
前記第１の情報処理装置が、印刷指示に応じて前記記憶手段に記憶された前記変換データを取得し、当該変換データを印刷指示に応じて指定された印刷機に供給する、
印刷システム。
【請求項５】
前記第１の情報処理装置が、ファイアーウォールを介して前記印刷サービス提供装置と接続されている、請求項４に記載の印刷システム。
【請求項６】
前記第１の情報処理装置と通信回線を介して接続され、ベクター形式の印刷データを処理してビットマップ形式に変換された変換データを生成する第２の情報処理装置を更に備え、
前記第１の情報処理装置が、前記印刷サービス提供装置から印刷データを取得して前記第２の情報処理装置に印刷データを供給し、前記第２の情報処理装置から前記変換データを取得して当該変換データを前記印刷サービス提供装置に送信する、
請求項４または請求項５に記載の印刷システム。
【請求項７】
前記ビットマップ形式に変換された変換データが、出力する印刷機の解像度及び印刷品質の少なくとも一方に応じた圧縮方法で圧縮されて記憶される、請求項４から請求項６までのいずれか１項に記載の印刷システム。
【請求項８】
前記印刷サービス提供装置が、印刷データが前記第１の情報処理装置により取得されるまで印刷データを管理する管理手段と、印刷データを編集する編集手段を更に備え、
前記編集手段により印刷データが編集された場合は、前記管理手段は編集後の印刷データを管理する、請求項４から請求項７までのいずれか１項に記載の印刷システム。
【請求項９】
前記第１の情報処理装置が、印刷準備が整えられたデータが印刷機に供給された後も、当該データを保持する保持手段を更に備えた、請求項４から請求項８までのいずれか１項に記載の印刷システム。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
多数の指導対象者をその属性に応じて階層状にクラスタリングし、各クラスタへ指導員を割り当てる指導員割当装置において、
各指導対象者からクラスタリングの根拠となる属性を取得する属性取得手段と、
各指導対象者をその属性数に応じた階層の各属性に応じたいずれかのクラスタへ分類するクラスタリング手段と、
各クラスタ向けのコメント作成に要する労力を計算する指導労力計算手段と、
各クラスタに割り当てる指導員を、各クラスタ向けのコメント作成に要する労力および各指導員の能力に基づいて決定する指導員割当手段とを具備したことを特徴とする指導員割当装置。
【請求項２】
前記指導労力計算手段は、各クラスタ向けのコメント作成に要する労力を、その下位層向けのコメントの一部流用による労力削減を見込んで計算することを特徴とする請求項１に記載の指導員割当装置。
【請求項３】
前記指導労力計算手段が流用労力計算手段を含み、
前記流用労力計算手段は、上位層の各クラスタを特徴付ける属性ごとに、その下位層向けのコメントにおける当該各属性への言及確率を求め、前記下位層向けのコメントと各言及確率との積の属性数分の総和に相当する労力を削減労力とすることを特徴とする請求項２に記載の指導員割当装置。
【請求項４】
前記言及確率が記憶された流用データベースをさらに具備し、
前記流用労力計算手段は、前記流用データベースに記憶された言及確率を参照することを特徴とする請求項３に記載の指導員割当装置。
【請求項５】
前記流用労力計算手段は、今回の指導員割当において相対的に下位層向けに作成されたコメントを分析し、相対的に上位層のクラスタにおける指導労力を、当該クラスタを特徴付ける属性数と前記コメントの分析結果とに基づいて計算し、これを最上位のクラスタまで繰り返すことを特徴とする請求項３に記載の指導員割当装置。
【請求項６】
前記指導労力計算手段は、各クラスタへのコメント作成に要する労力を、当該クラスタを特徴づける属性数に応じた労力から前記削減労力を減じた値で代表することを特徴とする請求項３ないし５のいずれかに記載の指導員割当装置。
【請求項７】
前記指導員割当手段は、各指導員をその能力の高い順に、コメント作成に要する労力の大きいクラスタから順に割り当てることを特徴とする請求項１ないし６のいずれかに記載の指導員割当装置。
【請求項８】
各指導員には、その能力を超えない範囲で複数のクラスタが割り当てられることを特徴とする請求項７に記載の指導員割当装置。
【請求項９】
クラスタが割り当てられた指導員には、その能力から割り当て済みの能力を減じた残能力に応じたクラスタが当該残能力に応じた順序で再割り当てされることを特徴とする請求項７または８に記載の指導員割当装置。
【請求項１０】
各指導対象者のユーザIDと所定の個人属性との対応関係を管理するユーザDBをさらに具備し、
前記属性取得手段は、前記ユーザIDに対応した個人属性と前記各指導対象者から取得した属性との集合を当該指導対象者の属性とすることを特徴とする請求項１ないし９のいずれかに記載の指導員割当装置。
【請求項１１】
前記属性取得手段は、各指導対象者がWiFiスポット経由でアップロードした情報から、当該WiFiスポットの設置場所に固有の場所属性を取得し、
前記クラスタリング手段は、各指導対象者を前記場所属性を含む属性数に応じた階層の各属性に応じたいずれかのクラスタへ分類することを特徴とする請求項１ないし１０のいずれかに記載の指導員割当装置。
【請求項１２】
前記属性情報取得手段が、各指導対象者からカメラ画像を取得して属性を抽出するカメラ画像処理部を含むことを特徴とする請求項１ないし１０のいずれかに記載の指導員割当装置。
【請求項１３】
多数の指導対象者をその属性に応じて階層状にクラスタリングし、各クラスタへ指導員を割り当てる指導員割当方法において、
コンピュータが、
各指導対象者からクラスタリングの根拠となる属性を取得し、
各指導対象者をその属性数に応じた階層の各属性に応じたいずれかのクラスタへ分類し、
各クラスタ向けのコメント作成に要する労力を計算し、
各クラスタに割り当てる指導員を、各クラスタ向けのコメント作成に要する労力および各指導員の能力に基づいて決定することを特徴とする指導員割当方法。
【請求項１４】
前記各クラスタ向けのコメント作成に要する労力が、その下位層向けのコメントの一部流用による労力削減を見込んで計算されることを特徴とする請求項１３に記載の指導員割当方法。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
与えられた選択肢に対する対象の選択行動をモデル化した選択モデルを生成する処理装置であって、
対象に与えられた選択肢を入力選択肢とし、入力選択肢の中から選択された選択肢を出力選択肢とする学習用の選択行動を少なくとも１つ含む学習データを取得する取得部と、
複数種類の選択肢のそれぞれが入力選択肢に含まれるか否かを示す入力ベクトルを生成する入力ベクトル生成部と、
前記学習用の入力選択肢に応じた前記入力ベクトルおよび出力選択肢を用いて、前記選択モデルを学習する学習処理部と、
を備える処理装置。
【請求項２】
前記学習処理部は、対象の認知バイアスに応じた選択行動を含む前記選択モデルを学習する請求項１に記載の処理装置。
【請求項３】
前記学習処理部は、入力選択肢に含まれる選択肢同士の選択確率の比が入力選択肢に含まれる他の選択肢の組合せに応じて異なりうる前記選択モデルを学習する請求項２に記載の処理装置。
【請求項４】
前記複数種類の選択肢のそれぞれが学習用の出力選択肢に含まれたか否かを示す出力ベクトルを生成する出力ベクトル生成部を更に備え、
前記学習処理部は、学習用の前記入力ベクトルおよび前記出力ベクトルを用いて、前記選択モデルを学習する請求項１から３のいずれか一項に記載の処理装置。
【請求項５】
前記学習処理部は、制約付ボルツマンマシン（Ｒｅｓｔｒｉｃｔｅｄ  Ｂｏｌｚｍａｎｎ  Ｍａｃｈｉｎｅ）に基づく前記選択モデルを学習する請求項４に記載の処理装置。
【請求項６】
前記選択モデルは、前記複数種類の選択肢のそれぞれを入力ノードとする入力層と、前記複数種類の選択肢のそれぞれを出力ノードとする出力層と、複数の中間ノードを含む中間層とを有し、各入力ノードおよび各中間ノードの間に各第１ウェイト値が設定され、各中間ノードおよび各出力ノードの間に各第２ウェイト値が設定されるモデルであり、
前記学習処理部は、各入力ノードおよび各中間ノードの間の各第１ウェイト値と、各中間ノードおよび各出力ノードの間の各第２ウェイト値とを学習する請求項５に記載の処理装置。
【請求項７】
前記選択モデルは、前記入力層、前記中間層、および前記出力層に含まれる各ノードに対して入力バイアス、中間バイアス、および出力バイアスが更に設定されるモデルであり、
前記学習処理部は、前記入力層の各入力バイアス、前記中間層の各中間バイアス、および前記出力層の各出力バイアスを更に学習する請求項６に記載の処理装置。
【請求項８】
入力選択肢に応じてそれぞれの選択肢が選択される確率を、各第１ウェイト値、各第２ウェイト値、各入力バイアス、各中間バイアス、および各出力バイアスを含むパラメータに基づき算出する確率算出部を更に備える請求項７に記載の処理装置。
【請求項９】
前記学習処理部は、学習用の選択行動のそれぞれについて、入力選択肢に応じて出力選択肢が選択される確率を高めるように、前記パラメータを更新する請求項８に記載の処理装置。
【請求項１０】
前記対象はユーザであり、前記選択肢は前記ユーザに与えられる商品またはサービスの選択肢である請求項１から９のいずれか一項に記載の処理装置。
【請求項１１】
複数種類の商品またはサービスのうち、販売を促進する商品またはサービスの指定を入力する指定入力部と、
前記複数種類の商品またはサービスに対応する前記複数種類の選択肢の中から、販売を促進する商品またはサービスを選択肢として含む複数の入力選択肢を選択する選択部と、
前記複数の入力選択肢のうち、販売を促進する商品またはサービスに応じた選択肢が選択される確率がより高くなる入力選択肢を特定する特定部と、
を備える請求項１０に記載の処理装置。
【請求項１２】
前記対象はユーザであり、前記選択肢はウェブサイト上で前記ユーザに提示される請求項１から１１のいずれか一項に記載の処理装置。
【請求項１３】
与えられた選択肢に対する対象の選択行動をモデル化した選択モデルを生成する処理方法であって、
対象に与えられた選択肢を入力選択肢とし、入力選択肢の中から選択された選択肢を出力選択肢とする学習用の選択行動を少なくとも１つ含む学習データを取得する取得段階と、
複数種類の選択肢のそれぞれが入力選択肢に含まれるか否かを示す入力ベクトルを生成する入力ベクトル生成段階と、
前記学習用の入力選択肢に応じた前記入力ベクトルおよび出力選択肢を用いて、前記選択モデルを学習する学習処理段階と、
を備える処理方法。
【請求項１４】
コンピュータに実行されると、与えられた選択肢に対する対象の選択行動をモデル化した選択モデルを生成する処理装置として機能させるプログラムであって、
対象に与えられた選択肢を入力選択肢とし、入力選択肢の中から選択された選択肢を出力選択肢とする学習用の選択行動を少なくとも１つ含む学習データを取得する取得段階と、
複数種類の選択肢のそれぞれが入力選択肢に含まれるか否かを示す入力ベクトルを生成する生成段階と、
前記学習用の入力選択肢に応じた前記入力ベクトルおよび出力選択肢を用いて、前記選択モデルを学習する学習段階と、
を備えるプログラム。
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
トナーによってシートに画像を形成する画像形成手段と、
前記画像形成手段によって画像が形成された複数枚のシートからなるシート束を、針を用いずに綴じる綴じ手段と、
前記綴じ手段による綴じ部分及び／又はその周囲に、前記画像形成手段によってシート補強用画像を形成させる制御手段とを備え、
前記制御手段は、シートの種類によって前記シート補強用画像の要否又は／及び濃度を制御することを特徴とする画像形成装置。
【請求項２】
トナーによってシートに画像を形成する画像形成手段と、
前記画像形成手段によって画像が形成された複数枚のシートからなるシート束を、針を用いずに綴じることを設定できる設定手段と、
前記設定手段によって、シート束を針を用いずに綴じることが設定された場合、綴じ予定部分及び／又はその周囲に、前記画像形成手段によってシート補強用画像を形成させる制御手段とを備え、
前記制御手段は、シートの種類によって前記シート補強用画像の要否又は／及び濃度を制御することを特徴とする画像形成装置。
【請求項３】
前記制御手段は、シート束において何枚目かによって前記シート補強用画像の要否を制御する請求項１又は２に記載の画像形成装置。
【請求項４】
前記画像形成手段が、複数色のトナーによって画像を形成するものであり、
前記制御手段は、シート束において何枚目かによって前記シート補強用画像の色を制御する請求項１〜３のいずれかに記載の画像形成装置。
【請求項５】
前記制御手段は、シート束において何枚目かによって前記シート補強用画像の形状を制御する請求項１〜４のいずれかに記載の画像形成装置。
【手続補正２】
【補正対象書類名】明細書
【補正対象項目名】０００８
【補正方法】変更
【補正の内容】
【０００８】
本発明によれば、トナーによってシートに画像を形成する画像形成手段と、前記画像形成手段によって画像が形成された複数枚のシートからなるシート束を、針を用いずに綴じる綴じ手段と、前記綴じ手段による綴じ部分及び／又はその周囲に、前記画像形成手段によってシート補強用画像を形成させる制御手段とを備え、前記制御手段は、シートの種類によって前記シート補強用画像の要否又は／及び濃度を制御することを特徴とする画像形成装置が提供される。
【手続補正３】
【補正対象書類名】明細書
【補正対象項目名】０００９
【補正方法】変更
【補正の内容】
【０００９】
また本発明によれば、トナーによってシートに画像を形成する画像形成手段と、前記画像形成手段によって画像が形成された複数枚のシートからなるシート束を、針を用いずに綴じることを設定できる設定手段と、前記設定手段によって、シート束を針を用いずに綴じることが設定された場合、綴じ予定部分及び／又はその周囲に、前記画像形成手段によってシート補強用画像を形成させる制御手段とを備え、前記制御手段は、シートの種類によって前記シート補強用画像の要否又は／及び濃度を制御することを特徴とする画像形成装置が提供される。
【手続補正４】
【補正対象書類名】明細書
【補正対象項目名】００１０
【補正方法】削除
【補正の内容】
【手続補正５】
【補正対象書類名】明細書
【補正対象項目名】００１４
【補正方法】削除
【補正の内容】
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
結晶性ポリエステル樹脂Ａ、結晶性ポリエステル樹脂Ｂ、非晶性ポリエステル樹脂Ｃ、及び着色剤を含有するトナー粒子を有するトナーにおいて、
該結晶性ポリエステル樹脂Ａは分子末端に結晶核剤部位を有し、
該非晶性ポリエステル樹脂Ｃの軟化点が８０℃以上１５０℃以下であり、
該結晶性ポリエステル樹脂Ａ、該結晶性ポリエステル樹脂Ｂ、及び該非晶性ポリエステル樹脂ＣのＳＰ値（（ｃａｌ／ｃｍ３）１／２）をそれぞれＳＰａ、ＳＰｂ、及びＳＰｃとしたとき、下記数式（１）、（２）及び（３）を満たすことを特徴とするトナー。
９．００≦ＳＰａ≦１１．００          ・・・（１）
−１．５０≦ＳＰｃ−ＳＰａ≦０．８０  ・・・（２）
０．１０≦ＳＰａ−ＳＰｂ≦２．００    ・・・（３）
【請求項２】
前記結晶核剤部位は、炭素数１０以上３０以下の脂肪族モノアルコール及び／又は、炭素数１１以上３１以下の脂肪族モノカルボン酸に由来する部位であることを特徴とする請求項１に記載のトナー。
【請求項３】
前記結晶性ポリエステル樹脂Ａ及び前記結晶性ポリエステル樹脂Ｂは、飽和脂肪族ジオールと、飽和脂肪族ジカルボン酸と、の縮重合物であることを特徴とする請求項１又は２に記載のトナー。
【請求項４】
前記結晶性ポリエステル樹脂Ｂは分子末端に結晶核剤部位を有することを特徴とする請求項１乃至３のいずれかの一項に記載のトナー。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
互いに対向して配置される第１遮光羽根及び第２遮光羽根と、
前記第１遮光羽根及び前記第２遮光羽根を移動させる移動手段と、
を備え、
前記第１遮光羽根及び前記第２遮光羽根のうち少なくとも一方は、
前記移動手段に係合され、前記移動手段により移動されるアームと、
前記アームとは別体として前記アームに設けられ、前記アームとともに移動して入射される光を遮蔽する第１遮光部と、を有し、
前記アーム及び前記第１遮光部のうち一方は、前記アームと前記第１遮光部との取付位置を調整可能な調整部を有することを特徴とする調光装置。
【請求項２】
請求項１に記載の調光装置において、
前記第１遮光部は、前記入射される光を遮蔽する本体部と、前記本体部から延出する延出部と、を有し、
前記調整部は、前記アームにおいて前記延出部に応じた位置及び前記延出部のうち一方に配置されていることを特徴とする調光装置。
【請求項３】
請求項１または２に記載の調光装置において、
前記アーム及び前記第１遮光部のうち一方は、前記アームと前記第１遮光部とを固定する固定部材が固定される孔部を有し、
前記アーム及び前記第１遮光部のうち他方は、前記調整部として、前記孔部より内径が大きく形成されて前記固定部材が挿通される挿通孔を有することを特徴とする調光装置。
【請求項４】
請求項３に記載の調光装置において、
前記アームは、前記調整部を有し、
前記第１遮光部は、前記孔部を有することを特徴とする調光装置。
【請求項５】
請求項１から４のいずれか一項に記載の調光装置において、
前記第１遮光部は、前記第１遮光部において光が入射する側に配置される第２遮光部を有し、
前記第２遮光部は、前記第１遮光部から離間する方向に傾斜した傾斜部を有することを特徴とする調光装置。
【請求項６】
請求項１から５のいずれか一項に記載の調光装置において、
前記アームは、前記入射される光の光軸に沿った方向において前記第１遮光部と一部が重なる位置に配置され、前記第１遮光部とともに前記入射される光を遮蔽する第３遮光部を有することを特徴とする調光装置。
【請求項７】
請求項６に記載の調光装置において、
前記第３遮光部は、前記入射される光の入射方向において、前記第１遮蔽部よりも光路前段に配置されることを特徴とする調光装置。
【請求項８】
光源装置と、
前記光源装置から出射された光を変調する光変調装置と、
前記光変調装置により変調された光を投射する投射光学装置と、
請求項１から請求項７のいずれか一項に記載の調光装置と、を備えることを特徴とするプロジェクター。
【請求項９】
請求項８のプロジェクターにおいて、
前記調光装置は、前記光源装置から前記光変調装置に入射される光の光路上に配置されることを特徴とするプロジェクター。
【請求項１０】
請求項８または９のプロジェクターにおいて、
前記光源装置からの光を複数の部分光束に分割する複数の第１小レンズを有する第１レンズアレイと、
前記複数の第１小レンズに対応する複数の第２小レンズを有する第２レンズアレイと、を備え、
前記調光装置は、前記第１レンズアレイと前記第２レンズアレイとの間に配置されることを特徴とするプロジェクター。
【手続補正２】
【補正対象書類名】明細書
【補正対象項目名】発明の名称
【補正方法】変更
【補正の内容】
【発明の名称】調光装置及びプロジェクター
【手続補正３】
【補正対象書類名】明細書
【補正対象項目名】００３４
【補正方法】変更
【補正の内容】
【００３４】
［アームの構成］
アーム５４１は、板金を折曲加工して形成された横向きの略Ｆ字状を有する板状体であり、長手方向がＸ方向に沿うようにギア５２に固定される。このアーム５４１は、ギア５２側（Ｘ方向とは反対側）の端部に固定部５２５に固定される取付部５４１１（図２及び図３）と、ギア５２側とは反対側（Ｘ方向側）の端部に第２面部５６２の孔部５６２１を挿通するピン状部５４１２（図３及び図４）とを有する。
【手続補正書】
【提出日】平成27年12月3日(2015.12.3)
【手続補正１】
【補正対象書類名】特許請求の範囲
【補正対象項目名】請求項４
【補正方法】変更
【補正の内容】
【請求項４】
前記閾値は、前記他方の光変調器において定められたπシフト電圧より大きく、かつ前記πシフト電圧の２倍より小さい値である、
請求項３に記載の光送信器。
【手続補正２】
【補正対象書類名】特許請求の範囲
【補正対象項目名】請求項６
【補正方法】変更
【補正の内容】
【請求項６】
前記制御部は、前記２つの光変調器からの出力光の位相差がπ／２となるように前記光位相調整部に印加するバイアス電圧を決定し、前記光位相調整部に決定した当該バイアス電圧を印加しながら、前記第１、第２の初期バイアス電圧を決定することを特徴とする、
請求項１〜５のいずれかに記載の光送信器。
【手続補正３】
【補正対象書類名】明細書
【補正対象項目名】００２１
【補正方法】変更
【補正の内容】
【００２１】
＜動作＞
本実施の形態の光送信器に備わる制御部２００は、変調信号駆動部２がオフの状態、即ち、変調信号が光変調部１００に入力されていない状態（以下、初期状態と記載する）において、第１、第２の光変調器１０１，１０２および光位相調整部１０３のそれぞれに印加するバイアス電圧の探索を行う。つまり、制御部２００は、バイアス印加部２０２ａ、２０２ｂ、２０２ｃから出力されるバイアス電圧の値を決定する。なお、この初期状態において、それぞれに印加するバイアス電圧の値を決定する過程を初期値探索と呼ぶ。
【手続補正４】
【補正対象書類名】明細書
【補正対象項目名】００３９
【補正方法】変更
【補正の内容】
【００３９】
図５（ａ）および図５（ｂ）から、Ｑｃｈ光の強度が最大の場合、図４（ｂ）の様な極大点を感知することはできず、誤ったバイアス電圧をＶｉ２として設定してしまう。この時、Ｉｃｈバイアス電圧としてＶｉ１を印加した場合のＩｃｈ光と、Ｖｉ２を印加した場合のＩｃｈ光の状態は同じである。そのため、Ｖｉ１とＶｉ２のちょうど中間のバイアス電圧をＩｃｈバイアス電圧の初期値として設定しても、Ｉｃｈ光は消光状態にならない。よって、この場合、Ｖｉ２を誤って設定することにより、誤った初期バイアス電圧Ｖｉを設定してしまう。
【手続補正５】
【補正対象書類名】明細書
【補正対象項目名】００６０
【補正方法】変更
【補正の内容】
【００６０】
従って、Ｉｃｈバイアス電圧に低周波信号を重畳し、合成光の誤差信号に基づいて初期バイアス電圧Ｖｉを決定することで、より精度良く初期バイアス電圧Ｖｉを探索することが可能である。同様に、Ｑｃｈバイアス電圧に低周波信号を重畳し、合成光の誤差信号に基づいて初期バイアス電圧Ｖｑを決定することで、より精度良く初期バイアス電圧Ｖｑを探索することが可能である。
【手続補正６】
【補正対象書類名】明細書
【補正対象項目名】００７４
【補正方法】変更
【補正の内容】
【００７４】
本実施の形態における光送信器は、実施の形態３と同様に、変調信号が光変調部１００に入力していない初期状態に、光変調部１００から出力される光が最も消光状態となるようにＰＳバイアス電圧、Ｉｃｈバイアス電圧、Ｑｃｈバイアス電圧の順に初期バイアス電圧Ｖｐｓ、Ｖｉ、Ｖｑを探索するようにしたものである。本実施の形態における光送信器は、実施の形態２とはＰＳバイアス電圧の探索方法が異なる。
【手続補正７】
【補正対象書類名】明細書
【補正対象項目名】００７６
【補正方法】変更
【補正の内容】
【００７６】
＜動作＞
次に動作について説明する。光強度検出部１０４からの光強度に応じた電流信号は電流電圧変換部３にて電圧信号に変換され、この出力された電圧信号は制御部２００内のモニタ部２０４に入力され、モニタ部２０４は電流電圧変換部３から出力された電圧信号に含まれる低周波信号としての低周波の微小変調信号をモニタする。同期検波部２０１はモニタ部を介して同期検波部２０１に入力された電圧信号から誤差信号を抽出し、この誤差信号が０となるようなバイアス電圧を演算により求める。バイアス印加部２０２ａ、２０２ｂ、２０２ｃは、モニタ部２０４を介して同期検波部２０１で抽出された誤差信号に基づくバイアス電圧を出力する。
【手続補正８】
【補正対象書類名】明細書
【補正対象項目名】００８０
【補正方法】変更
【補正の内容】
【００８０】
光源１が立ち上がり正常な光レベルが光変調部１００に入力されるようになった後、制御部２００は、バイアス制御を開始する。なお、バイアス制御の立ち上げ前には、収束点が全く分からない。
【誤訳訂正書】
【提出日】平成28年6月9日(2016.6.9)
【誤訳訂正１】
【訂正対象書類名】特許請求の範囲
【訂正対象項目名】全文
【訂正方法】変更
【訂正の内容】
【特許請求の範囲】
【請求項１】
酸素消費電極を電気化学セルに取り付ける方法であって、
１以上の酸素消費電極を、損傷領域および／または重複領域を有する電気化学半セルにおいて、封止ペーストを塗布することにより封止する工程を含み、該酸素消費電極は、銀含有触媒活物質に基づくものであり、該封止ペーストは、銀含有触媒活性物質、疎水性ポリマー成分およびパーフッ素化または部分フッ素化溶媒を含み、該疎水性ポリマー成分は、フッ素化または部分フッ素化ポリマーである、前記方法。
【請求項２】
銀含有触媒活性物質は、０．５〜５０μｍの測定平均直径を有する、請求項１に記載の方法。
【請求項３】
銀含有触媒活性物質は、１〜３０μｍの測定平均直径を有する、請求項１に記載の方法。
【請求項４】
封止ペーストは、疎水性ポリマー成分としてのポリテトラフルオロエチレンおよび銀含有触媒活性物質を含む、請求項１に記載の方法。
【請求項５】
触媒活性物質は、銀、酸化銀（Ｉ）もしくは酸化銀（ＩＩ）または銀および酸化銀の混合物を含む、請求項４に記載の方法。
【請求項６】
触媒活性物質は、封止ペーストの全重量を基準として少なくとも１０重量％の酸化銀を含む、請求項４に記載の方法。
【請求項７】
触媒活性物質は、封止ペーストの全重量を基準として少なくとも２０重量％の酸化銀を含む、請求項４に記載の方法。
【請求項８】
１以上の酸素消費電極は、ポリテトラフルオロエチレン（ＰＴＦＥ）および銀含有触媒活性物質を含む、請求項１に記載の方法。
【請求項９】
封止ペーストは、７０重量％〜９５重量％の酸化銀を有する触媒活性成分を含有する混合物を含む、請求項１に記載の方法。
【請求項１０】
封止ペーストは、０重量％を超え且つ１５重量％以下の銀金属粉末を有する触媒活性成分を含有する混合物を含む、請求項１に記載の方法。
【請求項１１】
封止ペーストは、３重量％〜１５重量％のフッ素化ポリマーを有する触媒活性成分を含有する混合物を含む、請求項１に記載の方法。
【請求項１２】
フッ素化ポリマーは、ポリテトラフルオロエチレンである、請求項１１に記載の方法。
【請求項１３】
１以上の酸素消費電極の触媒活性物質は、銀、酸化銀（Ｉ）もしくは酸化銀（ＩＩ）または銀および酸化銀の混合物を含む、請求項８に記載の方法。
【請求項１４】
１以上の酸素消費電極は、７０〜９５重量％の酸化銀を有する触媒活性成分を含有する混合物を含む、請求項１に記載の方法。
【請求項１５】
１以上の酸素消費電極は、０重量％を超え且つ１５重量％以下の銀金属粉末を有する触媒活性成分を含有する混合物を含む、請求項１に記載の方法。
【請求項１６】
１以上の酸素消費電極は、３〜１５重量％のフッ素化ポリマーを有する触媒活性成分を含有する混合物を含む、請求項１に記載の方法。
【請求項１７】
封止ペーストと酸素消費電極を共に、封止ペーストの塗布後にプレスする工程を更に含む、請求項１に記載の方法。
【請求項１８】
封止ペーストは、パーフッ素化または部分フッ素化溶媒として、パーフッ素化炭化水素、パーフルオロオクタン、パーフルオロトリエチルアミンパーフルオロポリエーテル、およびパーフッ素化炭化水素およびパーフルオロポリエーテルの混合物からなる群から選択される溶媒を有する、請求項１に記載の方法。
【請求項１９】
封止ペーストは、封止ペーストの全重量を基準として６０重量％以下の疎水性ポリマー成分の割合を有する、請求項１に記載の方法。
【請求項２０】
封止ペーストは、封止ペーストの全重量を基準として４０重量％以下の疎水性ポリマー成分の割合を有する、請求項１に記載の方法。
【請求項２１】
封止ペーストは、封止ペーストの全重量を基準として８０重量％以下の部分的またはパーフッ素化溶媒の割合を有する、請求項１に記載の方法。
【請求項２２】
封止ペーストは、封止ペーストの全重量を基準として６０重量％以下の部分的またはパーフッ素化溶媒の割合を有する、請求項１に記載の方法。
【請求項２３】
封止ペーストを、０．１〜１０００μｍの厚みで封止すべき領域の片側または両側へ塗布する、請求項１に記載の方法。
【請求項２４】
封止ペーストで封止された損傷領域および／または重複領域を有する１以上の隣接酸素消費電極を含み、該酸素消費電極は、銀含有触媒活物質に基づくものであり、該封止ペーストは、酸化銀、疎水性ポリマー成分およびフッ素化溶媒を含み、該疎水性ポリマー成分は、フッ素化または部分フッ素化ポリマーである、電気化学セル。
【請求項２５】
電気化学半セルは、クロルアルカリ電解に用いられる、請求項２４に記載の電気化学セル。
【請求項２６】
電気化学半セルは、ＮａＣｌの電解に用いられる、請求項２４に記載の電気化学セル。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
複数の選択肢のいずれかがそれぞれ対応付けられた複数のポケットのいずれかに遊技体が進入することで前記複数の選択肢から少なくとも１つの選択肢が選択される抽選機構と、前記抽選機構に遊技体を投入する投入機構と、を備えたゲーム機であって、
１回の抽選単位で所定数の遊技体を前記抽選機構に投入するように前記投入機構を制御する投入制御手段を備え、
前記投入制御手段には、所定の終了条件が成立しない限り、前記抽選単位での抽選を繰り返し、遊技体の投入を継続するように前記投入機構を制御する投入継続制御手段が設けられ、
前記ポケットに対応付けられた選択肢を変更する選択肢変更手段をさらに備えたゲーム機。
【請求項２】
前記選択肢変更手段は、前記ポケットに対応付けられた選択肢の位置を変更する請求項１に記載のゲーム機。
【請求項３】
前記選択肢変更手段は、前記ポケットに対応付けられた選択肢の種類を変更する請求項１に記載のゲーム機。
【請求項４】
前記選択肢変更手段は、所定の変更条件が満たされた場合に、前記ポケットに対応付けられた選択肢の数を変更する請求項１〜３のいずれか一項に記載のゲーム機。
【請求項５】
前記選択肢変更手段は、前記ポケットのうち、所定の選択肢が対応付けられたポケットに前記遊技体が進入した場合、前記変更条件が満たされたものとして、前記ポケットに対応付けられた選択肢の数を変更する請求項４に記載のゲーム機。
【請求項６】
前記選択肢変更手段は、前記投入継続制御手段により継続して投入された遊技体の総数が所定数以上となった場合、前記変更条件が満たされたものとして、前記ポケットに対応付けられた選択肢の数を変更する請求項４又は５に記載のゲーム機。
【請求項７】
複数の選択肢のいずれかがそれぞれ対応付けられた複数のポケットのいずれかに遊技体が進入することで前記複数の選択肢から少なくとも１つの選択肢が選択される抽選機構と、前記抽選機構に遊技体を投入する投入機構と、を備えたゲーム機のコンピュータに、
１回の抽選単位で所定数の遊技体を前記抽選機構に投入するように前記投入機構を制御する投入制御手順を実行させ、
前記投入制御手順では、所定の終了条件が成立しない限り、前記抽選単位での抽選を繰り返し、遊技体の投入を継続するように前記投入機構を制御する投入継続制御手順を前記コンピュータに実行させるとともに、
前記コンピュータに、前記ポケットに対応付けられた選択肢を変更する選択肢変更手順をさらに実行させるゲーム制御方法。
【請求項８】
複数の選択肢のいずれかがそれぞれ対応付けられた複数のポケットのいずれかに遊技体が進入することで前記複数の選択肢から少なくとも１つの選択肢が選択される抽選機構と、前記抽選機構に遊技体を投入する投入機構と、を備えたゲーム機のコンピュータを、
１回の抽選単位で所定数の遊技体を前記抽選機構に投入するように前記投入機構を制御する投入制御手段、として機能させ、
前記投入制御手段を、所定の終了条件が成立しない限り、前記抽選単位での抽選を繰り返し、遊技体の投入を継続するように前記投入機構を制御する投入継続制御手段、としてさらに機能させるように構成されるとともに、
前記コンピュータを、前記ポケットに対応付けられた選択肢を変更する選択肢変更手段としてさらに機能させるように構成されたコンピュータプログラム。
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
超臨界二酸化炭素で抽出処理した茶葉に対し、火入れ処理を行うことを特徴とする低カフェイン茶葉の製造方法。
【請求項２】
火入れ処理において茶葉温度を、緑茶葉の場合には130℃以上、紅茶葉の場合には110℃以上130℃以下とすることを特徴とする請求項１記載の低カフェイン茶葉の製造方法。
【請求項３】
超臨界二酸化炭素で抽出処理した茶葉に対して火入れ処理を行うことを特徴とする、異味異臭の除去方法。
【請求項４】
超臨界二酸化炭素による低カフェイン茶葉に対して、火入れされた茶葉。
【請求項５】
カフェインの含有量が0.5％以下であり、次の各香気成分グループ（A）、（B）および（C）：
（Ａ）火入れ香成分
（2,5-ジメチルピラジン，2,6-ジメチルピラジン，エチルピラジン，2,3-ジメチルピラジン，トリメチルピラジン，2-エチル-3,5-ジメチルピラジン，フルフラールおよび3-エチル-3,6-ジメチルピラジン）、
（Ｂ）青臭成分（n-ヘキサナール，(z)-4-ヘプテナール，青葉アルコール，(E.Z)-3,5-オクタジエン -2-オンおよび(E,E)-3,5-オクタジエン-2-オン)、
（Ｃ）油臭成分（1-ペンテン-3-オール，(E)-2-オクテナール，(E,Z)-2,4-ヘプタジエナールおよび(E,E)-2,4-ヘプタジエナール）、について、
ガスクロマトグラフ質量分析法（GC/MS分析法）にて分析した際の各グループ内ピークエリア合計の比が、[（Ａ）／（Ｂ）]が3.0以上かつ[（Ａ）／（Ｃ）]が1.5以上である請求項４に記載の茶葉。
【請求項６】
カフェインの含有量が0.5％以下であり、次の各香気成分グループ（A）、（B）および（C）：
（Ａ）火入れ香成分（2,5-ジメチルピラジン，2,6-ジメチルピラジン，エチルピラジン，2,3-ジメチルピラジン，トリメチルピラジン，2-エチル-3,5-ジメチルピラジン，フルフラールおよび3-エチル-3,6-ジメチルピラジン）、
（Ｂ）青臭成分（n-ヘキサナール，(z)-4-ヘプテナール，青葉アルコール，(E.Z)-3,5-オクタジエン -2-オンおよび(E,E)-3,5-オクタジエン-2-オン)、
（Ｃ）油臭成分（1-ペンテン-3-オール，(E)-2-オクテナール，(E,Z)-2,4-ヘプタジエナールおよび(E,E)-2,4-ヘプタジエナール）、について、
ガスクロマトグラフ質量分析法（GC/MS分析法）にて分析した際の各グループ内ピークエリア合計の比が、[（Ａ）／（Ｂ）]が3.0以上かつ[（Ａ）／（Ｃ）]が1.5以上である茶葉。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
所定の契機に基づいて遊技者に有利な遊技状態付与のための抽選を行い、この抽選結果に応じて遊技を進行する主制御基板と、
前記主制御基板の制御指令に基づいて遊技にかかる演出を制御する副制御基板と、
前記主制御基板の制御指令に基づいて遊技者に遊技媒体の払い出しを行う払出制御基板と、
前記払出制御基板から前記遊技媒体の貸出装置への制御信号を中継する貸出装置端子板と、
を備えた遊技機であって、
前記主制御基板、前記副制御基板および前記払出制御基板は演算処理部を有する制御基板であり、前記貸出装置端子板は前記演算処理部を有さない端子板として構成され、
前記払出制御基板および前記貸出装置端子板には、挿抜方向が基板面と平行となる基板間コネクタの対のそれぞれ一方が固定され、
前記払出制御基板と前記貸出装置端子板とは、前記基板間コネクタの一方が他方に挿入された状態で一体的に基板ケースに収容され、
前記貸出装置端子板には、前記基板面から突出する方向に延伸するＤ−ｓｕｂコネクタが固定され、
前記Ｄ−ｓｕｂコネクタは、前記貸出装置端子板が前記基板ケースに収容された状態で前記基板ケース外から挿抜可能となるように、その接続部が前記基板ケースの外側に露出していることを特徴とする遊技機。
【請求項２】
前記払出制御基板および前記貸出装置端子板それぞれにおける前記基板間コネクタと反対側の端部と前記基板ケースとの前記挿抜方向の離間距離は、前記基板間コネクタの挿入状態を解除して前記払出制御基板および前記貸出装置端子板のいずれか一方が前記挿抜方向以外の方向に相対移動可能となるストロークより短いことを特徴とする請求項１に記載の遊技機。
【請求項３】
前記Ｄ−ｓｕｂコネクタの外周部と前記基板ケースの開口縁との前記挿抜方向の離間距離は、前記Ｄ−ｓｕｂコネクタの挿入状態を解除して前記払出制御基板および前記貸出装置端子板のいずれか一方が前記挿抜方向以外の方向に相対移動可能となるストロークより短いことを特徴とする請求項１または２に記載の遊技機。
【手続補正２】
【補正対象書類名】明細書
【補正対象項目名】０００８
【補正方法】変更
【補正の内容】
【０００８】
上記課題を解決するために、本発明の遊技機は、所定の契機に基づいて遊技者に有利な遊技状態付与のための抽選を行い、この抽選結果に応じて遊技を進行する主制御基板と、主制御基板の制御指令に基づいて遊技にかかる演出を制御する副制御基板と、主制御基板の制御指令に基づいて遊技者に遊技媒体の払い出しを行う払出制御基板と、払出制御基板から遊技媒体の貸出装置への制御信号を中継する貸出装置端子板と、を備えた遊技機であって、主制御基板、副制御基板および払出制御基板は演算処理部を有する制御基板であり、貸出装置端子板は演算処理部を有さない端子板として構成され、払出制御基板および貸出装置端子板には、挿抜方向が基板面と平行となる基板間コネクタの対のそれぞれ一方が固定され、払出制御基板と貸出装置端子板とは、基板間コネクタの一方が他方に挿入された状態で一体的に基板ケースに収容され、貸出装置端子板には、基板面から突出する方向に延伸するＤ−ｓｕｂコネクタが固定され、Ｄ−ｓｕｂコネクタは、貸出装置端子板が基板ケースに収容された状態で基板ケース外から挿抜可能となるように、その接続部が基板ケースの外側に露出していることを特徴とする。
【手続補正３】
【補正対象書類名】明細書
【補正対象項目名】００１０
【補正方法】変更
【補正の内容】
【００１０】
Ｄ−ｓｕｂコネクタの外周部と基板ケースの開口縁との挿抜方向の離間距離は、Ｄ−ｓｕｂコネクタの挿入状態を解除して払出制御基板および貸出装置端子板のいずれか一方が挿抜方向以外の方向に相対移動可能となるストロークより短くてもよい。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
パラメータによって定義されるプレイ媒体を通じてプレイされるゲームを提供するゲーム機であって、
使用に適した状況が異なる複数の選択肢の一部によって構成される基礎選択肢群を前記パラメータの情報として記録しているゲーム用記録媒体を介して、前記基礎選択肢群の情報を取得する情報取得手段と、
前記情報取得手段によって取得された前記基礎選択肢群の情報に基づいて、前記プレイ媒体を前記ゲームに再現する媒体再現手段と、
前記媒体再現手段によって再現された前記プレイ媒体の前記ゲーム内の状況に基づいて、前記基礎選択肢群に含まれる各選択肢の使用の適否を判別する選択肢判別手段と、
前記選択肢判別手段の判別の結果、前記基礎選択肢群が前記ゲームの状況に適切でない不適切選択肢を含む場合、当該不適切な選択肢を含まない変形選択肢群に前記基礎選択肢群を切り替える選択肢切替手段と、
を備える、ことを特徴とするゲーム機。
【請求項２】
前記ゲーム用記録媒体は、前記基礎選択肢群に加えて、前記ゲームの前記基礎選択肢群とは別の状況に適した別の選択肢群を前記パラメータの情報として更に記録し、
前記選択肢切替手段は、前記別の選択肢群が前記別の状況に適することにより前記不適切な選択肢を含まない場合に、当該別の選択肢群が前記変形選択肢群として機能するように、当該別の選択肢群に前記基礎選択肢群を切り替える、請求項１に記載のゲーム機。
【請求項３】
前記別の選択肢群は、前記基礎選択肢群の少なくとも一部の選択肢が前記ゲームにおいて当該一部の選択肢とは異なる状況に適した別の選択肢に変更された選択肢群として形成され、前記一部の選択肢の代わりに前記別の選択肢を含むことにより前記別の状況に適合し、
前記選択肢切替手段は、前記一部の選択肢が前記不適切な選択肢に該当する場合に、前記別の選択肢への変更にともない前記不適切な選択肢を含まないことにより前記別の選択肢群が前記変形選択肢群として機能するように、当該別の選択肢群に記基礎選択肢群を切り替える、請求項２に記載のゲーム機。
【請求項４】
前記ゲーム用記録媒体には、前記基礎選択肢群をそれぞれ選択肢毎に表示する複数の表示欄が設けられ、
前記複数の表示欄の少なくとも一部は、前記基礎選択肢群の選択肢に加えて前記別の選択肢群の選択肢を更に表示することにより前記基礎選択肢群及び前記別の選択肢群の両方の選択肢を表示している、請求項２又は３に記載のゲーム機。
【請求項５】
前記ゲームを提供するための出力装置に接続されるコンピュータを、請求項１〜４のいずれか一項に記載のゲームシステムの各手段として機能させるように構成されたコンピュータプログラム。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
複数のオブジェクトの中から選択した２以上のオブジェクトからなるオブジェクトグループを利用するゲームのゲーム制御装置であって、
２以上のオブジェクトの組合せと、当該組合せに対応する前記ゲーム上の効果をユーザに識別可能にさせる情報である効果に関する情報とを関連付けている関連付け手段と、
前記オブジェクトグループのうち、変更対象となるオブジェクトの選択を受け付ける受付手段と、
前記受付手段によって選択を受け付けた変更対象となるオブジェクトと変更可能なオブジェクトが含まれる表示画面を表示する表示手段と、
前記表示画面に含まれる前記変更対象となるオブジェクトと変更可能なオブジェクトの中で、前記効果に関する情報に関連付けられているオブジェクトの組合せを特定する特定手段とを備え、
前記表示手段は、前記特定手段によって特定されたオブジェクトの組合せに含まれるオブジェクトが何れのオブジェクトであるかを前記ユーザに識別可能となる表示態様で前記表示画面に表示することを特徴とするゲーム制御装置。
【請求項２】
前記表示手段は、前記受付手段によって選択を受け付けた変更対象となるオブジェクト、及び、当該変更対象となるオブジェクトと変更可能なオブジェクトが含まれる表示画面を表示するものであり、
前記特定手段は、前記表示画面に含まれる前記変更対象となるオブジェクト、及び、当該変更対象となるオブジェクトと変更可能なオブジェクトの中で、前記効果に関する情報に関連付けられているオブジェクトの組合せを特定することを特徴とする請求項１に記載のゲーム制御装置。
【請求項３】
前記表示手段は、前記特定手段によって特定されたオブジェクトの組合せに対応する前記効果に関する情報を表示することを特徴とする請求項１又は２に記載のゲーム制御装置。
【請求項４】
前記表示手段は、前記特定手段によって特定されたオブジェクトの組合せに対応する操作子を表示するものであり、
前記操作子の指定がされた場合、当該操作子に対応するオブジェクトの組み合わせが含まれるように、前記オブジェクトグループを変更する変更手段を備えることを特徴とする請求項１〜３の何れか１項に記載のゲーム制御装置。
【請求項５】
複数のオブジェクトの中から選択した２以上のオブジェクトからなるオブジェクトグループを利用するゲームにおいて、コンピュータを、請求項１〜４のいずれかのゲーム制御装置の各手段として機能させるためのプログラム。
【請求項６】
通信端末と、当該通信端末からアクセスされ、前記通信端末によるゲームの実行を制御するサーバと、を含み、複数のオブジェクトの中から選択した２以上のオブジェクトからなるオブジェクトグループを利用するゲームについてのゲームシステムであって、
請求項１〜４のいずれかのゲーム制御装置の各手段を、前記通信端末又は前記サーバの少なくともいずれか一方が備えた、
ゲームシステム。